【事件の表示】
　特願２００３−５８９８１号「成層空調の成層高さの制御方法及び成層高さの制御システム」拒絶査定不服審判事件〔平成１６年９月３０日出願公開、特開２００４−２７０９７１号〕について、次のとおり審決する。
【結　論】
　本件審判の請求は、成り立たない。
【理　由】
１．手続の経緯
　本件に係る出願（以下「本願」という。）は、平成１５年３月５日の特許出願であって、平成２０年８月６日付けで拒絶査定がなされ（発送日：同年８月１２日）、これに対し、同年９月１１日に拒絶査定不服審判が請求されたものである。
　
２．本願発明について 
(1)本願発明 
　本願の請求項１に係る発明（以下「本願発明」という。）は、平成２０年４月２１日付け手続補正書により補正された明細書および図面の記載からみて、その特許請求の範囲の請求項１に記載された事項により特定される次のとおりのものである。    
「室外空気を冷却用熱交換器で熱交換し、冷却された空気を室内の下部に０．６ｍ／sec以下の風速で給気し、室内に存在する熱負荷で暖められた室内の上部の空気を導入した室外空気と実質的に同量ほど室外に排出する成層空調の成層高さの制御方法において、上記熱交換器を通過した後の冷却媒体を床面冷却ユニットに送液して床面を冷却すると共に、床面温度とその設定温度とを比較して、床面温度がその設定温度より高い場合は、床面冷却ユニットを送液する冷却媒体の上記流量を増大させて床面温度を低下させて成層高さを上昇させ、床面温度がその設定温度より低い場合は冷却媒体の上記流量を減少させて床面温度を昇温させて成層高さを低下させることを特徴とする成層空調の成層高さの制御方法。」
　
(2)刊行物
(2-1)原査定の拒絶の理由に引用され、本願出願前に頒布された刊行物である特許第２８６２１４９号公報（以下「刊行物１」という。）には、図面と共に以下の事項が記載されている。
a)「【請求項１】床、壁および天井によって区画された空間のうち、人間の身長を基準とした床からの高さをもつ下方空間に、空気流出面を縦方向とした平板状または1/4円以上の円筒状のデイフューザー面をもち且つこのデイフューザー面の背後に空洞ボックスが取付けられた空気放散口から、室内の空気温度よりも所定温度だけ低い温度に制御された新鮮空気を、0.6m/sec以下の可及的低い低風速で且つ90゜以上の拡がり角をもって該下部空間の実質上全域にゆきわたるように且つ室内空気を乱さないように流し込み、同時にこの下方空間に導入する空気量に相当する空気量を天井部から排出して、該下方空間の空気を新鮮空気で置換することを特徴とする
換気方法
b)「本発明はこのような従来の換気に基づく問題の解決を目的としたものであり、少ない風量をゆっくりとした風速で室内の空気を乱さないように供給して、室内空気を新鮮な空気と置き換える全く新しい換気方式を提供しようとするものである。」（第2頁第3欄第44行〜同第48行）
c)「〔作用〕
　人間が居住する下方空間に室内温度より僅かに低い温度の新鮮空気をゆっくりと流し込むと、
空気の温度差によって下方空間がこの新鮮空気で満たされる
　また、この新鮮空気を流し込むにあたっては、
下部空間に存在した室内空気がこの新鮮空気で置換される
　本発明が対象とする換気空間には、発熱源としての在室者と各種の発熱機器類が存在する。発熱機器類としては証明器具、OA機器類、各種の作業器械等がある。かような
内部発生熱によって昇温した空気は、その比重差によって天井部に自然に上昇する
下方空間に流出させる低温の新鮮空気
下部空間に流出させる新鮮空気の温度を所定の温度
に制御し
この温度より高い室温が検出されたら、該放散口から室内にこの新鮮空気を流出させる。この室温の検出位置は、下部空間より僅かに高いところに設定
　室内に流出させた新鮮空気量に相当する空気量を室内から排出させることも本発明の重要な要件である。これはオーバーフローとして自然に排気することもできるが、フアンを用いて機械排気を行なうのが好ましい。これによって、塵埃等も排気に同伴させることができる。」（第2頁第4欄第13行〜第3頁第5欄第7行）
d)「第１図は、オフイスビル内のうち、床、壁および天井によって区画された或る独立した部屋に本発明を適用した例を示したもので、
人間の身長を基準とした床からの高さをもつ下方空間Ａ（破線で示す範囲）に
空気放散口１から
新鮮空気２を、0.6m/sec以下の低風速で下部空間Ａの実質上全域にゆきわたるようにゆっくりと流出させ、この下方空間Ａに
空気量に相当する空気量を天井部の排気口３から排出する
e)「第５図は、下部空間Ａに流出させる
新鮮空気２
空気冷却器11
を経ることによって所定の設定温度に制御される
室温よりも若干低い温度
　第５図の設備を用いて、夏期、冬期および中間期における本発明の換気を実施する場合の例を説明すると、夏期の
冷房時には
　冬期において始動時に暖房を必要とする場合には、空気加熱器12並びにフアン10と14を稼働して室内温度を上げ、やがて部屋が使用され始めたらダンパ20、22を開き、ダンパ18を閉じて熱交換器を稼働したうえ、空気加熱器12によって室内設定温度より僅かに低い温度に調整して空気放散口２から0.6m/sec以下の低風速でゆっくりと換気運転を実施する。中間期においては、室内温度、外気温度および排気温度から熱交換器の使用の是非と空気冷却器11と空気加熱器12の使用の是非を判断して本発明に従う換気運転を行う。いずれにしても熱交換器19は全熱交換器とすることによって良好な熱回収を図ることができる。」（第3頁第6欄第22行〜第4頁第7欄第24行）
f)「〔効果〕
　本発明の換気方法によれば、人間が居住する床面高さの領域が新鮮且つ温度調節された快適環境に維持され、その上部空間には臭気や塵芥を含む汚れた空気が移動し、下層の新鮮空気層と上層の汚れた空気層との層構造が形成され、上層の汚れた空気が排出されるから、換気効率が極めて良好となる。そして、一般空調のような送気騒音は皆無とすることができる。また無風に近い状態に室内が維持されるのでコールドドラフトの問題もない。さらに従来の拡散・希釈型の換気に比べて内部発生熱は系外に排出されるのでこれを冷やすための熱源設備は極めて少なくてすみ、省設備・省エネルギーが達成され、全く新しい換気方法が提供される。」（第4頁第8欄第33行〜同第45行）
　
　上記記載事項及び図面の図示内容からみて、刊行物１には、次の発明が記載されている。
「冷房時には、新鮮空気２が、空気冷却器１１を経ることによって室温よりも若干低い所定の設定温度に制御され、空気放散口１から人間の身長を基準とした床からの高さをもつ下部空間Ａの実質上全域にゆきわたるように0.6m/sec以下の低風速でゆっくりと流出され、空気の温度差によって下部空間Ａを満たし、
　内部発生熱によって昇温した空気は、その比重差によって天井部に自然に上昇するので、この下部空間Ａに流出される空気量に相当する空気量を天井部の排気口３から排出し、
　下部空間Ａより僅かに高いところに室温の検出位置を設定し、下部空間Ａに流出される新鮮空気の温度を所定の温度に制御し、この温度より高い室温が検出されたら空気放散口１から室内にこの新鮮空気を流出させ、下部空間Ａに存在した室内空気がこの新鮮空気で置換される換気方法。」
　
(2-2)同じく、原査定の拒絶の理由に引用され、本願出願前に頒布された刊行物である特開２００２−３４０３７３号公報（以下「刊行物２」という。）には、図面と共に以下の事項が記載されている。
a)「【請求項１】  冷水又は温水の水熱媒を生成し搬送する熱源機と、この熱源機に接続され搬送されてくる水熱媒により冷房又は暖房を行う利用側機器とを備え、その
利用側機器が
空気を冷却
することで冷
房機能を果すファンコイルユニット
を備え
水方式冷暖房
b)「本発明は、係る従来の問題点を解決するためになされたものであって、その
課題とするところは、
システムの小型化、低コスト化を達成すること
c)「また、ファンコイルユニット９には、コントローラ１７及び室温を検知する室温センサーが備えられ、コントローラ１７の操作によって水熱媒の流量をそれ自体に設けられた流量調節弁を動かして、室温が設定温度になるようにフィードバック制御を行うとともに、熱交換ユニット８の制御手段１５に運転情報や制御情報を送信する。
輻射パネル１０にも、コントローラ１８及び周囲温度を検知する温度センサーが備えられ、コントローラ１８の操作によって水熱媒の流量をそれ自体に設けられた流量調節弁を動かして、周囲温度が設定温度になるようにフィードバック制御を行う
d)「ファンコイルユニット９及び輻射パネル１０の双方から運転要求の信号があれば、制御手段１５は二方弁１１，１２を開弁し、二方弁１４を閉弁して第１と第２の水熱媒経路を開き、ファンコイルユニット９と輻射パネル１０の双方に並列的に水熱媒を流す。いずれの場合もファンコイルユニット９にも輻射パネル１０にも、それらの暖房能力を発揮するに足る温度の水熱媒が供給され、快適な暖房雰囲気を作り出すことができる。
　一方、熱交換ユニット８のコントローラ１６により、冷房モードが設定されると、制御手段１５は室外ユニット５の冷凍サイクルを冷房用のサイクルに切換え、利用側機器のコントローラ１７，１８からの運転情報の取込みを行う。利用側機器のいずれかのファンコイルユニット９及びいずれかの輻射パネル１０から運転要求の信号が入ると、利用側機器に送る水熱媒の温度を冷房できる、例えば７℃になるように、室外ユニット５を制御する。利用側機器側からの運転要求の信号が一つもない場合には、循環ポンプ３は停止状態におかれる。
　熱交換ユニット８の制御手段１５は、ファンコイルユニット９からの運転要求の信号か輻射パネル１０からの運転要求の信号かを判別し、ファンコイルユニット９からの運転要求の信号であれば、二方弁１１を開弁させ、二方弁１２と二方弁１４を閉弁させる。これによって、第１の水熱媒経路に水熱媒が流れ、ファンコイルユニット９による冷房運転が行われる。このとき、第２及び第３の水熱媒経路は閉じられ輻射パネル１０には水熱媒は流れない。輻射パネル１０からの運転要求の信号を受信したときは、二方弁１２を開弁させ、二方弁１１と二方弁１４を閉弁させる。これによって、第２の水熱媒経路に水熱媒が流れ、
輻射パネル１０による冷房運転が行われ
　ファンコイルユニット９及び輻射パネル１０の双方から運転要求の信号があれば、二方弁１１，１２を開弁し、二方弁１４を閉弁して第１と第２の水熱媒経路を開き、ファンコイルユニット９と輻射パネル１０の双方に並列的に水熱媒を流す。いずれの場合もファンコイルユニット９にも輻射パネル１０にも、それらの冷房暖房能力を発揮するに足る温度の水熱媒が供給される。冷房モードにおいて、輻射パネル１０のコントローラ１８から冷え過ぎである信号が熱交換ユニット８の制御手段１５に入ると、制御手段１５は、橋絡経路１３の二方弁１４を開弁し、第２の水熱媒経路の二方弁１２を閉弁する処理を行う。これにより、第３の水熱媒経路が形成され、熱交換ユニット８からファンコイルユニット９を経て輻射パネル１０を経由して熱交換ユニット８に戻る水熱媒の流れが形成される。この第３の水熱媒経路では、
ファンコイルユニット９で熱交換した後の温度の上がった水熱媒が輻射パネル１０に通ること
　即ち、この水方式冷暖房システムでは、冷房時にファンコイルユニット９で熱交換した後の温度の上がった水熱媒を輻射パネル１０に通すことができ、これによって
冷え過ぎない輻射冷房
　
　上記記載事項及び図面の図示内容からみて、刊行物２には、次の発明が記載されている。
「システムの小型化、低コスト化を達成する課題を解決するために、
　利用側機器が空気を冷却することで冷房機能を果すファンコイルユニット９を備え 、
　ファンコイルユニット９で熱交換した後の温度の上がった水熱媒が輻射パネル１０に通ることにより冷え過ぎない輻射冷房が行われ、
　輻射パネル１０に備えられたコントローラ１８の操作によって、水熱媒の流量をそれ自体に設けられた流量調節弁を動かして、周囲温度が設定温度になるようにフィードバック制御を行う
　水方式冷暖房方法。」
　
３．対比
　本願発明と刊行物１に記載された発明を対比する。
　刊行物１に記載された発明の「新鮮空気２が、空気冷却器１１を経ること」は、その構成および機能からみて、本願発明の「室外空気を冷却用熱交換器で熱交換」することに相当し、以下同様に、
　「室温よりも若干低い所定の設定温度に制御され、空気放散口１から人間の身長を基準とした床からの高さをもつ下部空間Ａの実質上全域にゆきわたるように0.6m/sec以下の低風速でゆっくりと流出され、空気の温度差によって下部空間Ａを満た」すことは、「下部空間Ａ」が室内の下部を指すことから、「冷却された空気を室内の下部に０．６ｍ／sec以下の風速で給気すること」に、
　「内部発生熱によって昇温した空気は、その比重差によって天井部に自然に上昇するので、この下部空間Ａに流出される空気量に相当する空気量を天井部の排気口３から排出」することは、「室内に存在する熱負荷で暖められた室内の上部の空気を導入した室外空気と実質的に同量ほど室外に排出する」ことに、
　「下部空間Ａより僅かに高いところに室温の検出位置を設定し、下部空間Ａに流出される新鮮空気の温度を所定の温度に制御し、この温度より高い室温が検出されたら空気放散口１から室内にこの新鮮空気を流出させ、下部空間Ａに存在した室内空気がこの新鮮空気で置換される換気方法」は、室温の検出位置における温度を所定の温度に制御することにより、室温の検出位置の高さまでの下部空間Ａの空気層を新鮮な低温空気層とするものであり、低温空気層で満たされる下部空間Ａの高さを室温の検出位置である一定高さに制御するものといえるから、「成層空調の成層高さの制御方法」に、
　それぞれ相当する。
　
　したがって、上記両者の一致点及び相違点は、次のとおりである。　　　［一致点］
「室外空気を冷却用熱交換器で熱交換し、冷却された空気を室内の下部に０．６ｍ／sec以下の風速で給気し、室内に存在する熱負荷で暖められた室内の上部の空気を導入した室外空気と実質的に同量ほど室外に排出する成層空調の成層高さの制御方法。」
　
［相違点］
　成層空調の成層高さの制御方法が、本願発明では、熱交換器を通過した後の冷却媒体を床面冷却ユニットに送液して床面を冷却すると共に、床面温度とその設定温度とを比較して、床面温度がその設定温度より高い場合は、床面冷却ユニットを送液する冷却媒体の流量を増大させて床面温度を低下させて成層高さを上昇させ、床面温度がその設定温度より低い場合は冷却媒体の流量を減少させて床面温度を昇温させて成層高さを低下させるものであるのに対して、刊行物１に記載された発明では当該発明特定事項を具備しない点。
　
４．当審の判断
　本願発明と刊行物２に記載された発明を対比する。
　刊行物２に記載された発明の「利用側機器が空気を冷却すること」は、その構成および機能からみて、本願発明の「空気を冷却用熱交換器で熱交換」することに相当し、以下同様に、
　「ファンコイルユニット９で熱交換した後の温度の上がった水熱媒が輻射パネル１０を通ることにより冷え過ぎない輻射冷房が行われ」ることは、輻射パネル１０の温度を水熱媒により下げることにより床面を冷やすことから、「熱交換器を通過した後の冷却媒体を床面冷却ユニットに送液して床面を冷却する」ことに、
それぞれ相当する。
　そして、刊行物２に記載された発明の「輻射パネル１０に備えられたコントローラ１８の操作によって、水熱媒の流量をそれ自体に設けられた流量調節弁を動かして、周囲温度が設定温度になるようにフィードバック制御を行う」ことと、本願発明の「床面温度とその設定温度とを比較して、床面温度がその設定温度より高い場合は、床面冷却ユニットを送液する冷却媒体の上記流量を増大させて床面温度を低下させて成層高さを上昇させ、床面温度がその設定温度より低い場合は冷却媒体の上記流量を減少させて床面温度を昇温させて成層高さを低下させること」とを比較する。前者は、周囲温度を設定温度にするために、周囲温度が設定温度より高いときは、流量調整弁を流量が増大する方向に動かして水熱媒の流量を増加させることにより冷房能力を高め、逆に、周囲温度が設定温度より低いときは、流量調整弁を流量が減少する方向に動かして水熱媒の流量を減少させることにより冷房能力を弱めるものであるから、両者は、「床面近傍温度とその設定温度とを比較して、床面近傍温度がその設定温度より高い場合は、床面冷却ユニットを送液する冷却媒体の流量を増大させて床面温度を低下させ、床面近傍温度がその設定温度より低い場合は冷却媒体の流量を減少させて床面温度を昇温させること」で共通する。
　
　したがって、刊行物２に記載された発明は、
「システムの小型化、低コスト化を達成する課題を解決するために、
　空気を冷却用熱交換器で熱交換し、
　熱交換器を通過した後の冷却媒体を床面冷却ユニットに送液して床面を冷却すると共に、
　床面近傍温度とその設定温度とを比較して、床面近傍温度がその設定温度より高い場合は、床面冷却ユニットを送液する冷却媒体の流量を増大させて床面温度を低下させ、床面近傍温度がその設定温度より低い場合は冷却媒体の流量を減少させて床面温度を昇温させる
　水方式冷暖房方法。」
と言い換えることができる。
　
　ここで、刊行物１に「下方空間に室内温度より僅かに低い温度の新鮮空気をゆっくりと流し込むと、
空気の温度差によって下方空間がこの新鮮空気で満たされる
新鮮空気により押し出された汚染空気
　また、原査定の拒絶の理由で提示した特開平１１−１７３６３８号公報に「温水熱交換器で冷却された水が床暖房配管へ供給され、この水によって
床面ないし床面近傍の空気を冷却する
　また、同じく原査定の拒絶の理由で提示した特開平９−２５０８０１号公報に「本発明における空調方式においては、室１内における給気速度は、毎秒０．１ｍｍ〜１００ｍｍ程度（好ましくは毎秒５ｍｍ〜１０ｍｍ）という超微風速（人間の肌で感じない速度）で
居室１内へ滲み出すように給気して居室１内に温度成層を形成する
室内における居住者の足元の高さの空気温度を設定値に保つように制御し
　さらに、特開平１０−１１５４５１号公報に「次に、本形態に係る吹出口パネルの機能を説明する。空調機５８から給気ダクト６２を通じて給気通路２８へ空気を給気する。ここで、給気する空気を、一例として、居室１０の設定温度より約３℃低くし、また、吹出口パネル３２の吹出口４０から吹き出す空気の風速が０．３ｍ／ｓとなるようにする。ここで、図３及び図４に示すように、吹出口パネル３２の羽根板４３の間から吹き出した空気は、層流に近い気流性状となって床面Ｆを這い、床面Ｆと略平行に移動し、床面Ｆの全面に漂う。そして、
内部発熱源としての人体Ｂによって生じる上昇気流が、床面Ｆを漂う空気と置き替わって温度成層を形成する。すなわち、床面Ｆから天井パネル４８の下方の循環域Ｍ（温度勾配のない領域）の境界面Ｌに亘って、温度勾配（床面Ｆと境界面Ｌとの温度差を床面Ｆから境界面Ｌまでの距離で割った値：Ｔ／ｈ）のある空気層、いわゆる温度成層が形成される
　これらのことから、刊行物２に記載された発明において、床面温度を低下させる方向に変化させると、床面近傍の冷却された空気層の領域が増大し、温度成層を押し上げ、天井部に移動した内部発熱によって昇温した空気層の領域は減少して温度成層と昇温した空気層との境界面は上昇することとなり、逆に、床面温度を上昇させる方向に変化させると、床面近傍の冷却された空気層の領域が減少し、温度成層を押し下げ、天井部に移動した内部発熱によって昇温した空気層の領域は増大して温度成層と昇温した空気層との境界面は下降することとなる。
　また、床面冷房の技術分野において、床面温度そのものを検出し、検出結果に応じて冷却媒体の流量を制御して床面温度を設定温度とする制御方法は、本願出願前に周知の技術事項である（例えば、原査定で提示した特開平１０−３８３２４号の段落【0038】、【0039】や、上記特開平１１−１７３６３８号公報の段落【0092】〜【0095】参照。）。
　そして、刊行物１および２に記載された発明は、ともに、室内冷暖房方法という共通の技術分野に属する発明であるから、刊行物１に記載された発明に、システムの小型化、低コスト化を達成するという課題を解決するために刊行物２に記載された発明および上記周知の床面温度検出方法を適用して、上記相違点において本願発明が具備する発明特定事項に到達することは、当業者が容易になし得たものである。
　また、本願発明の効果についてみても、刊行物１および２に記載された発明および周知の技術事項から、当業者が予測できた範囲内のものである。
　よって、本願発明は、刊行物１および２に記載された発明および周知の技術事項に基づいて当業者が容易に発明をすることができたものである。
　
５．むすび  
　以上のとおりであるから、本願発明は、刊行物１および２に記載された発明および周知の技術事項に基いて当業者が容易に発明をすることができたものであるので、特許法第２９条第２項の規定により特許を受けることができない。 
　したがって、本願のその他の請求項に係る発明について検討するまでもなく、本願は拒絶すべきものである。　　  
　
　よって、結論のとおり審決する。